(57)【要約】【課題】  フィードモータのリード線の張り渡し状態が緩まないようにすること。【解決手段】  光ピックアップ３から延びるラック１６に噛合するピニオン１７を正逆回転させるためのフィードモータ１８がトラバースシャーシ６に設けられると共に、該フィードモータ１８にラック１６を間に挟んで対向するプリント配線基板２８がトラバースシャーシ６の底板６ａに配置され、フィードモータ１８から延びるリード線１８ａがプリント配線基板２８の電極２９に半田付けされ、該リード線１８ａの中央部分を支持するリード線支持枠２７が、ラック１６の長手方向に沿って突出され互いに小間隔の空隙をおいて平行する支持主杆３８及び補助杆４０を有し、該補助杆４０の下面が支持主杆３８の上面と同一またはその支持主杆３８の上面よりも低く設定されており、前記リード線１８ａを支持主杆３８の上面から空隙を通って補助杆４０の下面にかけて挿通する。【選択図】        図１
2010086635.tif 000002
【特許請求の範囲】
【請求項１】
ディスク載置用トレイを前後進可能に支持するローダーシャーシが設けられ、該ローダ
ーシャーシに合成樹脂製トラバースシャーシが上下動可能に支持され、該トラバースシャ
ーシにターンテーブルと該ターンテーブル上にクランプしたディスクの半径方向に沿って
移動可能な光ピックアップとが配置され、該光ピックアップにラックが設けられ、該ラッ
クに噛合するピニオンを正逆回転させるためのフィードモータがトラバースシャーシに設
けられると共に、該フィードモータにラックを間に挟んで対向するプリント配線基板がト
ラバースシャーシの底板に配置され、フィードモータから延びるリード線がプリント配線
基板の電極に半田付けされ、該リード線の中央部分がトラバースシャーシの底板に一体形
成したリード線支持枠により支持されており、トラバースシャーシを上動させることによ
りトレイ上のディスクがターンテーブル上にクランプされ、フィードモータによりピニオ
ン及びラックを介して光ピックアップをディスクの半径方向に移動させ、光ピックアップ
からディスクにレーザ光を投射し、その反射光に基づいてディスクに記録されている情報
を読み取るようにしたディスク装置において、前記リード線支持枠が、ラックの長手方向
に沿って突出され互いに小間隔の空隙をおいて平行する支持主杆及び補助杆を有し、該補
助杆の下面が支持主杆の上面と同一またはその支持主杆の上面よりも低く設定されており
、前記リード線を支持主杆の上面から空隙を通って補助杆の下面にかけて挿通することを
特徴とするディスク装置。
【請求項２】
前記支持主杆の先端部が補助杆の先端よりも長く延ばされると共に、該支持主杆の先端
部上面にストッパ突起が一体突設され、該ストッパ突起と補助杆の先端との間に間隙が形
成されており、その間隙から支持主杆と補助杆との間にリード線を挿通することを特徴と
する請求項１に記載ディスク装置。
【請求項３】
前記補助杆の先端部下面に抜け止め突起が一体突設され、該抜け止め突起の下面がスト
ッパ突起側から下向きに傾斜する傾斜面とされており、その傾斜面に沿ってリード線を滑
らせるようにしたことを特徴とする請求項２に記載のディスク装置。
【発明の詳細な説明】
【技術分野】
【０００１】
本発明は、ディスク装置（例えばＤＶＤレコーダやＤＶＤプレーヤなど）に関し、特に
、フィードモータとプリント配線基板とをつなぐリード線の張り渡し状態が緩まないよう
にしたものである。
【背景技術】
【０００２】
ディスク装置として図５〜図７に示すものがあり、これはＤＶＤレコーダであって、図
５は同ディスククランプ状態を示す一部切欠き平面図、図６は同縦断面図、図７は同トレ
イオープン状態を示す一部切欠き平面図である。
【０００３】
図５〜図７に示すように、ディスクＤ載置用トレイ１を前後進ａ，ｂ可能に支持する合
成樹脂製ローダーシャーシ２が設けられ、ディスクＤの半径方向に沿って移動可能な対物
レンズＯＬ付き光ピックアップ３とターンテーブル４付きスピンドルモータ５とを搭載し
た合成樹脂製トラバースシャーシ６の後部がゴムからなる左右一対の弾性体７を介してロ
ーダーシャーシ２に上下動ｃ，ｄ可能に連結され、該ローダーシャーシ２の前板部２ａに
カムスライダ８が前後進ａ，ｂ方向とは直交する左右方向ｅ，ｆに沿ってスライド可能に
配置され、該カムスライダ８に形成した一対のカム溝９にトラバースシャーシ６の前面に
一体突設した一対のカムピン１０が嵌入されている。
【０００４】
図５〜図７に示すように、カムスライダ８の一端に形成したカムラック１２とトレイ１
の下面に前後進ａ，ｂ方向に沿って一体突設したトレイラック（図示せず）とが噛合する
第１歯車１３がローダーシャーシ２の前板部２ａに正逆回転ｇ，ｈ可能に配置され、該第
１歯車１３に大径の第２歯車１４が一体形成されている。
【０００５】
図５〜図７に示すように、光ピックアップ３から前後進ａ，ｂ方向に沿って延びるラッ
ク１６が設けられ、該ラック１６に噛合するピニオン１７を正逆回転させるためのフィー
ドモータ１８がトラバースシャーシ６に設けられている。
【０００６】
図５〜図７に示すように、ラック１６の前端に突設した操作ピン２０に対向してカムス
ライダ８の下面に突設した一対の突片２１間に操作溝２２が形成され、カムスライダ８の
水平部に左右一対のガイドピン２３が一体突設されると共に、該各ガイドピン２３に対向
してトレイ１の下面に一対のガイド溝２４が形成され、図６に示すように、ローダーシャ
ーシ２の両側板間に横桁２５が架設され、該横桁２５の中央貫通孔２５ａにクランパ２６
が一定範囲内昇降可能に配置されている。
【０００７】
動作原理を説明すると、図５及び図６はディスククランプ状態を示すものであって、ト
ラバースシャーシ６を上動ｃさせて水平姿勢とし、トレイ１上のディスクＤをターンテー
ブル４で持ち上げて、該ディスクＤをターンテーブル４とクランパ４２とでクランプして
おり、スピンドルモータ５によりターンテーブル４を介してディスクＤを高速回転させ、
フィードモータ２８によりピニオン１７を正逆回転させ、ラック１６を介して光ピックア
ップ３をディスクＤの半径方向に沿って移動させ、光ピックアップ３からディスクＤにレ
ーザ光を投射し、その反射光に基づいてディスクＤに記録されている情報を読み取り、映
像情報の再生や録画などをおこなう。
【０００８】
トレイオープン時には、図５に示す状態から、フィードモータ１８をタイマー制御して
ピニオン１７を正転させることにより、ラック１６を前進ａさせて光ピックアップ３を最
前進位置まで移動させた後、その前進ａさせたラック１６の操作ピン２０を操作溝２２の
斜面２２ａに押し付け、その押付力でカムスライダ８を矢印ｆ方向にさせてカムラック１
２を第１歯車１３に噛合させ、該第１歯車１３を正転ｇさせることにより、カムスライダ
８を矢印ｆ方向にさらにスライドさせ、各カムピン１０を各カム溝９に沿って降下させ、
図６の仮想線に示すように、トラバースシャーシ６を下動ｄさせて傾斜姿勢にすることに
より、ターンテーブル４からトレイ１にディスクＤを移し替える。
【０００９】
続いて、ガイドピン２３によりガイド溝２４の傾斜面２４ａが押されてトレイ１がわず
かに前進ａされ、トレイ１の下面のトレイラック（図示せず）の前端が第１歯車１３に噛
合され、それとほぼ同時にカムラック１２が第１歯車１３から離間される。その第１歯車
１３の正転ｇによりトレイラック（図示せず）を介してトレイ１を前進ａさせ、そのトレ
イ１を最前進ａ位置で停止させる（図７参照）。トレイイン時には、上記とは逆の手順で
操作が行われる。
【００１０】
図８〜図１１は従来例を示すものであって、図８は同トラバースシャーシの底面図、図
９は同リード線支持枠の斜視図、図１０は同トラバースシャーシの要部拡大横断面図、図
１１は同リード線処理状態を示す説明図である。
【００１１】
図８に示すように、フィードモータ１８にラック１６を間に挟んで対向するプリント配
線基板２８がトラバースシャーシ６の底板６ａに配置され、フィードモータ１８から延び
るリード線１８ａがプリント配線基板２８の電極２９に半田付けされ、そのリード線１８
ａの中央部分がリード線支持枠２７により支持されている。また、プリント配線基板２８
はフレキシブルフラットケーブル（図示せず）を介してローダーシャーシの下部に設けた
制御基板（図示せず）とスピンドルモータ５とにそれぞれ接続されている。なお、図８中
、３０はフィードモータ１８とピニオン１７及び第２歯車１４とを連動連結する歯車機構
である。
【００１２】
図９に示すように、前記リード線支持枠２７は、電極２９の近傍からトラバースシャー
シ６の底板６ａの端縁に突設した支持台３２と、該支持台３２の上面からラック１６に向
けて突出させた基端杆３３と、該基端杆３３の先端から直角に折れ曲がる中央杆３４と、
該中央杆３４の先端から直角に折れ曲がって基端杆３３に沿って延びる先端杆３５とを備
え、その先端杆３５と基端杆３３との間に凹部３６が形成されている。
【００１３】
リード線１８ａの処理手順を説明すると、図１０に２点鎖線ｋで示すように、リード線
１８ａをプリント配線基板２８の電極２９に半田付けする。
【００１４】
この場合、半田付け作業を円滑に行うためにリード線１８ａの長さを比較的大きくして
いる。従って、半田付けをした後、リード線１８ａをそのままにしておくと、該リード線
１８ａが垂れて可動部材であるラック１６に接触することになる。
【００１５】
そこで、図１０に実線ｍで示すように、リード線１８ａをリード線支持枠２７の中央杆
３４に引っ掛け、図１１に示すように、リード線１８ａの凹部３６内に引き込んだ部分を
矢印Ｆ１方向に引っ張ることにより、フィードモータ１８とリード線支持枠２７との間で
リード線１８ａを直線的に張り渡し、これによって、安全基準に合わせて、リード線１８
ａをラック１６から所定間隔をおいて離間させている。なお、関連する技術として特許文
献１に記載したものがある。
【特許文献１】実用新案登録第３１０１６０７号公報
【発明の開示】
【発明が解決しようとする課題】
【００１６】
上記従来の構成では、リード線１８ａをリード線支持枠２７の中央杆３４に引っ掛けて
いるだけであるから、図１１に示すように、直線的に張り渡したリード線１８ａ（図１０
の実線ｍ状態）に例えば工具などが当たって該リード線１８ａに矢印Ｆ２方向の負荷がか
かると、図１０に１点鎖線ｔで示すように、リード線１８ａの張り渡し状態が容易に緩ん
で該リード線１８ａがラック１６に接触することがあり、これでは、ラック１６の移動が
阻害されて光ピックアップ３による読み取りに遅れや誤差が生じたり、リード線１８ａが
損傷されてショート事故が生じるおそれがある。
【００１７】
本発明は、上記従来の欠点に鑑み、フィードモータから延びるリード線の張り渡し状態
が緩まないようにしたディスク装置を提供することを目的としている。
【課題を解決するための手段】
【００１８】
上記目的を達成するため、請求項１に記載の発明は、ディスク載置用トレイを前後進可
能に支持するローダーシャーシが設けられ、該ローダーシャーシに合成樹脂製トラバース
シャーシが上下動可能に支持され、該トラバースシャーシにターンテーブルと該ターンテ
ーブル上にクランプしたディスクの半径方向に沿って移動可能な光ピックアップとが配置
され、該光ピックアップにラックが設けられ、該ラックに噛合するピニオンを正逆回転さ
せるためのフィードモータがトラバースシャーシに設けられると共に、該フィードモータ
にラックを間に挟んで対向するプリント配線基板がトラバースシャーシの底板に配置され
、フィードモータから延びるリード線がプリント配線基板の電極に半田付けされ、該リー
ド線の中央部分がトラバースシャーシの底板に一体形成したリード線支持枠により支持さ
れており、トラバースシャーシを上動させることによりトレイ上のディスクがターンテー
ブル上にクランプされ、フィードモータによりピニオン及びラックを介して光ピックアッ
プをディスクの半径方向に移動させ、光ピックアップからディスクにレーザ光を投射し、
その反射光に基づいてディスクに記録されている情報を読み取るようにしたディスク装置
において、前記リード線支持枠が、ラックの長手方向に沿って突出され互いに小間隔の空
隙をおいて平行する支持主杆及び補助杆を有し、該補助杆の下面が支持主杆の上面と同一
またはその支持主杆の上面よりも低く設定されており、前記リード線を支持主杆の上面か
ら空隙を通って補助杆の下面にかけて挿通することを特徴としている。
【００１９】
請求項２に記載の発明は、請求項１に記載の発明において、前記支持主杆の先端部が補
助杆の先端よりも長く延ばされると共に、該支持主杆の先端部上面にストッパ突起が一体
突設され、該ストッパ突起と補助杆の先端との間に間隙が形成されており、その間隙から
支持主杆と補助杆との間にリード線を挿通することを特徴としている。
【００２０】
請求項３に記載の発明は、請求項２に記載の発明において、前記補助杆の先端部下面に
抜け止め突起が一体突設され、該抜け止め突起の下面がストッパ突起側から下向きに傾斜
する傾斜面とされており、その傾斜面に沿ってリード線を滑らせるようにしたことを特徴
としている。
【発明の効果】
【００２１】
請求項１に記載の発明によれば、フィードモータから延びるリード線をプリント配線基
板の電極に半田付けした後、該リード線をリード線支持枠の支持主杆の上面から該支持主
杆と補助杆との間の空隙に通し、そのリード線の空隙に通した部分を引っ張るだけで、フ
ィードモータと支持主杆との間でリード線を直線的に張り渡すことができ、この場合、リ
ード線の空隙に通した部分を引っ張る際に、該リード線が補助杆に引っ掛からないから、
そのリード線の引っ張り作業を小さな力で迅速容易に行うことができる。
【００２２】
また、補助杆の下面が支持主杆の上面と同一またはその支持主杆の上面よりも低く設定
されているから、直線的に張り渡したリード線に例えば工具などが当たって該リード線に
比較的大きな負荷が掛かったとしても、その負荷により引っ張られたリード線が補助杆の
下面と空隙側端面との間の角部に引っ掛かって、そのリード線の張り渡し状態が緩むこと
がない。従って、従来のようにリード線の張り渡し状態が緩んで、該リード線がラックに
接触することにより、そのラックの移動が阻害されて光ピックアップによる読み取りに遅
れや誤差が生じたり、リード線が損傷されてショート事故が生じるおそれを確実に解消す
ることができる。
【００２３】
請求項２に記載の発明によれば、支持主杆のストッパ突起と補助杆の先端との間の間隙
にリード線を差し込むことにより、そのリード線を支持主杆上から不測に外れないように
して該支持主杆と補助杆との間に簡単に挿通することができる。
【００２４】
請求項３に記載の発明によれば、補助杆の傾斜面に沿ってリード線を滑らせることによ
り、該リード線を支持主杆と補助杆との間に一層簡単に挿通することができる。
【００２５】
また、補助杆の先端部下面に抜け止め突起が一体突設されると共に、前記支持主杆の先
端部上面にストッパ突起が一体突設されているから、支持主杆の上面から空隙を通って補
助杆の下面にかけて挿通したリード線がその支持主杆及び補助杆から不測に外れないよう
にすることができる。
【発明を実施するための最良の形態】
【００２６】
図１〜図４は本発明の実施の一形態であるディスク装置の要部を示すものであって、図
１は同トラバースシャーシの底面図、図２（ａ）は同リード線支持枠の斜視図、図２（ｂ
）は同リード線支持枠の平面図、図２（ｃ）はＡ−Ａ矢視図、図２（ｄ）はＢ−Ｂ矢視図
、図３は同トラバースシャーシの要部拡大横断面図、図４は同リード線処理状態を示す説
明図である。
【００２７】
図１及び図２に示すように、リード線１８ａの中央部分を支持するリード線支持枠２７
が、電極２９の近傍からトラバースシャーシ６の底板６ａの端縁に突設した支持台３２と
、該支持台３２の上面からラック１６に向けて突出させた基端杆３３とを有し、該基端杆
３３の先端から直角に折れ曲がるようにして横断面矩形状の支持主杆３８が一体突設され
ると共に、該支持主杆３８に小間隔ｒ１（例えば２．０ｍｍ）の空隙３９をおいて平行す
る横断面矩形状の補助杆４０が基端杆３３に一体突設されている。上記以外の構成は図５
〜図１１に示す構成とほぼ同じであるから、同一部分に同一符号を付してその説明を省略
する。
【００２８】
図２（ｄ）に示すように、この実施の形態では、補助杆４０の下面４０ａが支持主杆３
８の上面３８ａから小間隔ｒ２（例えば０．５ｍｍ）をおいて低く設定されている。
【００２９】
図２（ｂ）及び（ｄ）に示すように、支持主杆３８の先端部が補助杆４０の先端よりも
所定間隔ｒ３（例えば５．０ｍｍ）だけ長く延ばされると共に、該支持主杆３８の先端部
上面にストッパ突起４１が一体突設され、該ストッパ突起４１と補助杆４０の先端との間
に所定間隔ｒ４（例えば１．５ｍｍ）の間隙４２が形成されている。
【００３０】
図２（ｄ）に示すように、補助杆４０の先端部下面に抜け止め突起４３が一体突設され
、該抜け止め突起４３の下面がストッパ突起４１側から下向きに傾斜する傾斜面４３ａと
されている。
【００３１】
リード線１８ａの処理手順を説明すると、図３に２点鎖線ｋで示すように、リード線１
８ａをプリント配線基板２８の電極２９に半田付けした後、図３に実線ｍで示すように、
リード線１８ａを間隙４２に差し込み傾斜面４３ａに沿って滑らせることにより、該リー
ド線１８ａを支持主杆３８の上面３８ａから空隙３９を通って補助杆４０の下面４０ａに
かけて挿通し、図４に示すように、リード線１８ａの空隙３９に通した部分を矢印Ｆ１方
向に引っ張ることにより、フィードモータ１８とリード線支持枠２７との間でリード線１
８ａを直線的に張り渡し、これによって、安全基準に合わせて、リード線１８ａをラック
１６から所定間隔をおいて離間させる。
【００３２】
上記構成によれば、リード線１８ａの空隙３９に通した部分を引っ張る際に、該リード
線１８ａが補助杆４０に引っ掛からないから、そのリード線１８ａの引っ張り作業を小さ
な力で迅速容易に行うことができる。
【００３３】
図３及び図４に実線ｍで示すように、直線的に張り渡したリード線１８ａに例えば工具
などが当たって該リード線１８ａに矢印Ｆ２方向に比較的大きな負荷が掛かったとしても
、その負荷により引っ張られたリード線１８ａが補助杆４０の下面４０ａと空隙側端面４
０ｂとの間の角部４０ｃに引っ掛かって、そのリード線１８ａの張り渡し状態が緩むこと
がない。従って、従来のようにリード線１８ａの張り渡し状態が緩んで（図１０の１点鎖
線ｔ参照）、該リード線１８ａがラック１６に接触することにより、そのラック１６の移
動が阻害されて光ピックアップ３による読み取りに遅れや誤差が生じたり、リード線１８
ａが損傷されてショート事故が生じるおそれを確実に解消することができる。
【００３４】
また、支持主杆３８のストッパ突起４１と補助杆４０先端との間の間隙４２にリード線
１８ａを差し込むことにより、そのリード線１８ａを支持主杆３８上から不測に外れない
ようにして該支持主杆３８と補助杆４０との間に簡単に挿通することができる。
【００３５】
更に、補助杆４０の傾斜面４３ａに沿ってリード線１８ａを滑らせることにより、該リ
ード線１８ａを支持主杆３８と補助杆４０との間に一層簡単に挿通することができる。
【００３６】
しかも、補助杆４０の先端部下面に抜け止め突起４３が一体突設されると共に、支持主
杆３８の先端部上面にストッパ突起４１が一体突設されているから、支持主杆３８の上面
３８ａから空隙３９を通って補助杆４０の下面４０ａにかけて挿通したリード線１８ａが
その支持主杆３８及び補助杆４０から不測に外れないようにすることができる。
【００３７】
具体的寸法の一例を示すと、リード線１８ａの直径ｎ（図４参照）を０．７ｍｍとした
場合、空隙３９の間隔ｒ１が直径ｎよりも大きくてその直径ｎの４倍までに設定されてお
り、具体的には、間隔ｒ１が０．８〜２．８ｍｍ（好ましくは１．０〜２．５ｍｍ）であ
り、０．８ｍｍ未満の場合には、リード線１８ａを空隙３９に差し込み難くなり、２．８
ｍｍを超える場合には、リード線１８ａが角部４０ｃに引っ掛かり難くなる。
【００３８】
補助杆４０の下面４０ａと支持主杆３８の上面３８ａとの間の間隔ｒ２が０〜１．０ｍ
ｍ（好ましくは０．３〜０．７ｍｍ）であり、０ｍｍ未満の場合には、リード線１８ａが
角部４０ｃに引っ掛かり難くなり、１．０ｍｍを超える場合には、リード線１８ａを補助
杆４０の下面側に差し込み難くなる。
【図面の簡単な説明】
【００３９】
【図１】本発明の実施の一形態であるディスク装置の要部であるトラバースシャーシの底面図である。
【図２】（ａ）は同リード線支持枠の斜視図、（ｂ）は同リード線支持枠の平面図、（ｃ）はＡ−Ａ矢視図、（ｄ）はＢ−Ｂ矢視図である。
【図３】同トラバースシャーシの要部拡大横断面図である。
【図４】同リード線処理状態を示す説明図である。
【図５】ディスク装置のディスククランプ状態を示す一部切欠き平面図である。
【図６】同縦断面図である。
【図７】同トレイオープン状態を示す一部切欠き平面図である。
【図８】従来例を示す底面図である。
【図９】同リード線支持枠の斜視図である。
【図１０】同トラバースシャーシの要部拡大横断面図である。
【図１１】同リード線処理状態を示す説明図である。
【符号の説明】
【００４０】
１          トレイ
２          ローダーシャーシ
３          光ピックアップ
４          ターンテーブル
６          トラバースシャーシ
６ａ        トラバースシャーシの底板
１８        フィードモータ
１８ａ      リード線
２７        リード線支持枠
２８        プリント配線基板
２９        電極
３８        支持主杆
３８ａ      支持主杆の上面
３９        空隙
４０        補助杆
４０ａ      補助杆の下面
４１        ストッパ突起
４２        間隙
４３        抜け止め突起
４３ａ      傾斜面
Ｄ          ディスク
【図１】
2010086635.tif 000003
【図２】
2010086635.tif 000004
【図３】
2010086635.tif 000005
【図４】
2010086635.tif 000006
【図５】
2010086635.tif 000007
【図６】
2010086635.tif 000008
【図７】
2010086635.tif 000009
【図８】
2010086635.tif 000010
【図９】
2010086635.tif 000011
【図１０】
2010086635.tif 000012
【図１１】
2010086635.tif 000013